(57)【要約】【課題】移動先において、ＳＩＰセッションのセッション制御情報とＱｏＳポリシー情報との対応関係が維持できるとともに、端末が動的にアドレスを取得する場合に、取得したアドレスのサブネットを越えて移動した場合でも端末に冗長経路を通ることなくシグナリングが転送できるようにする。【解決手段】端末１と端末２とのセッションＳ１を確立するメッセージが、端末１がアクセスするＥＲ３−１を収容するＰ−ＣＳＣＦ５−１、Ｓ−ＣＳＣＦ６、端末２がアクセスするＥＲ４を収容するＰ−ＣＳＣＦ７を経由して中継転送され、確立した後に、端末１がＥＲ３−ｎの配下に移動した場合には、ＥＲ３−ｎを収容するＰ−ＣＳＣＦ５−ｎが端末１のセッション制御情報を取得してＥＲ３−ｎに設定する。したがって、移動後の端末１宛てのシグナリングは、移動先であるＥＲ３−ｎを収容するＰ−ＣＳＣＦ５−ｎから送られることになる。【選択図】        図１
2005064646.tif 000002
【特許請求の範囲】
【請求項１】
複数のエッジルータと、前記エッジルータにアクセスする移動端末を含む端末相互間のセッション制御処理を相互に連携して行うサーバであって、ネットワークの中央に配置される１以上のコアサーバおよびネットワークのエッジに配置される複数のエッジサーバと、前記端末にアドレスを割り当てるアドレスサーバとを備える移動体ネットワークにおいて、
前記移動端末が、アクセスするエッジルータから当該エッジルータを収容するエッジサーバのアドレスを取得し、他の端末とのセッションを確立するために、取得したアドレスの前記エッジサーバを介して前記コアサーバに対して登録要求メッセージを送信する工程と、
前記移動端末と他の端末との間で送受信されるセッション確立のためのメッセージを中継する過程で、前記移動端末側のエッジルータを収容するエッジサーバと前記他の端末側のエッジルータを収容するエッジサーバとが、それぞれ、対応するエッジルータに対してセッション制御情報を設定する工程と、
前記移動端末が、他のエッジルータの配下に移動した場合に、前記他のエッジルータから当該他のエッジルータを収容するエッジサーバのアドレスを取得し、取得したアドレスの前記エッジサーバを介して前記コアサーバに対して登録要求メッセージを送信する工程と、
前記他のエッジルータを収容するエッジサーバが、受信した前記登録要求メッセージに含まれる前記移動端末の端末識別子に基づき近隣のエッジサーバに対して前記移動端末のセッション制御情報を問い合わせ、取得した前記移動端末のセッション制御情報を前記他のエッジルータに設定する工程と、
を含むことを特徴とする移動体ネットワークにおけるシグナリング転送方法。
【請求項２】
複数のエッジルータと、前記エッジルータにアクセスする移動端末を含む端末相互間のセッション制御処理を相互に連携して行うサーバであって、ネットワークの中央に配置される１以上のコアサーバおよびネットワークのエッジに配置される複数のエッジサーバからなるサーバと、前記端末にアドレスを割り当てるアドレスサーバとを備える移動体ネットワークにおいて、
前記移動端末が、通信開始に先立ち、アクセスするエッジルータとの間に当該セッションで指定された無線区間のチャネルを含む第１セッションを設定し、前記第１セッションを設定した前記エッジルータから当該エッジルータを収容するエッジサーバのアドレスを取得し、他の端末とのセッションを確立するために、取得したアドレスの前記エッジサーバを介して前記コアサーバに対して登録要求メッセージを送信する工程と、
前記移動端末と他の端末との間で送受信されるセッション確立のためのメッセージを中継する過程で、前記移動端末側のエッジルータを収容するエッジサーバと前記他の端末側のエッジルータを収容するエッジサーバとが、それぞれ、対応するエッジルータに対してセッション制御情報を設定する工程と、
前記移動端末が他のエッジルータの配下に移動した場合に、前記他のエッジルータが、前記移動端末との間に当該セッションで指定された無線区間のチャネルを含む第１セッションを設定する際に、前記移動端末の端末識別子とアドレスとを取得して前記移動端末に代わって登録要求メッセージを作成し、自エッジルータを収容するエッジサーバを介して前記コアサーバに送信する工程と、
前記他のエッジルータを収容する前記エッジサーバが、受信した前記登録要求メッセージに含まれる前記移動端末の端末識別子に基づき近隣のエッジサーバに対して前記移動端末のセッション制御情報を問い合わせ、取得した前記移動端末のセッション制御情報を前記他のエッジルータに設定する工程と、
を含むことを特徴とする移動体ネットワークにおけるシグナリング転送方法。
【請求項３】
前記移動端末が、他のエッジルータの配下への移動を予測した場合に、前記他のエッジルータを収容するエッジサーバのアドレスを問い合わせるメッセージを現行のエッジルータを介して前記他のエッジルータに送信し、取得したアドレスの前記エッジサーバに対し自端末の端末識別子を含む仮登録メッセージを送信する工程と、
前記仮登録メッセージを受信した前記エッジサーバが、前記移動端末の端末識別子に基づき近隣のエッジサーバに前記移動端末のセッション制御情報を問い合わせ、取得した前記移動端末のセッション制御情報を前記他のエッジルータに設定する工程と、
前記移動端末が、他のエッジルータの配下に移動し、前記他のエッジルータを収容するエッジサーバの管理下に入ったことを検出した場合に、自端末の端末識別子を含む正式登録要求メッセージを前記他のエッジルータを収容する前記エッジサーバを介して前記コアサーバに送信する工程と、
を含むことを特徴とする請求項１に記載の移動体ネットワークにおけるシグナリング転送方法。
【請求項４】
前記移動端末が、他のエッジルータの配下に移動した場合に、前記他のエッジルータから当該他のエッジルータを収容するエッジサーバのアドレスおよび移動先で使用する気付けアドレスを取得し、取得した前記エッジサーバに自端末の端末識別子と取得した気付けアドレスとを含む登録要求メッセージを送信する工程と、
前記他のエッジルータを収容するエッジサーバが、受信した前記登録要求メッセージをそれに含まれる気付けアドレスを削除して前記コアサーバに転送するとともに、前記他のエッジルータの配下に属する前記移動端末を含む端末のアドレスと気付けアドレスとのアドレス対応表を作成する工程と、
その後、前記他のエッジルータを収容するエッジサーバが、前記移動端末宛のシグナリングメッセージを受信したとき、前記アドレス対応表を検索し、受信した前記シグナリングメッセージをカプセル化し、そのカプセルヘッダの宛先アドレスに気付けアドレスを付与して転送する工程と、
を含むことを特徴とする請求項１に記載の移動体ネットワークにおけるシグナリング転送方法。
【請求項５】
前記移動端末が、他のエッジルータの配下への移動を予測した場合に、前記他のエッジルータを収容するエッジサーバのアドレスと移動先で使用する気付けアドレスとを問い合わせるメッセージを現行のエッジルータを介して前記他のエッジルータに送信し、取得したアドレスの前記エッジサーバに対し自端末の端末識別子を含む仮登録要求メッセージを送信する工程と、
前記仮登録要求メッセージを受信した前記エッジサーバが、前記移動端末の端末識別子に基づき近隣のエッジサーバに対して前記移動端末のセッション制御情報を問い合わせ、取得した前記移動端末のセッション制御情報を前記他のエッジルータに設定する工程と、
前記移動端末が、前記他のエッジルータの配下に移動し、前記他のエッジルータを収容する前記エッジサーバの管理下に入ったことを検出した場合に、自端末の端末識別子と気付けアドレスとを含む正式登録メッセージを前記エッジサーバに送信する工程と、
前記他のエッジルータを収容するエッジサーバが、受信した前記正式登録メッセージをそれに含まれる気付けアドレスを削除して前記コアサーバに転送するとともに、前記他のエッジルータの配下に属する前記移動端末を含む端末のアドレスと気付けアドレスとのアドレス対応表を作成する工程と、
その後、前記他のエッジルータを収容するエッジサーバが、前記移動端末宛のシグナリングメッセージを受信したとき、前記アドレス対応表を検索し、受信した前記シグナリングメッセージをカプセル化し、そのカプセルヘッダの宛先アドレスに気付けアドレスを付与して転送する工程と、
を含むことを特徴とする請求項１に記載の移動体ネットワークにおけるシグナリング転送方法。
【請求項６】
前記移動端末が、他のエッジルータの配下に移動した場合に、前記他のエッジルータとの間に当該セッションで指定された無線区間のチャネルを含む第１セッションを設定する際に、前記他のエッジルータに対して自端末の端末識別子とアドレスとを通知し、前記他のエッジルータから前記他のエッジルータを収容するエッジサーバのアドレスと移動先で使用する気付けアドレスとを取得する工程と、
前記他のエッジルータが、前記移動端末の端末識別子およびアドレスと前記移動端末に通知した気付けアドレスと含む登録要求メッセージを作成して収容する前記エッジサーバに対し送信する工程と、
前記他のエッジルータから前記登録要求メッセージ受信したエッジサーバが、その受信した前記登録要求メッセージをそれに含まれる気付けアドレスを削除して前記コアサーバに転送するとともに、前記他のエッジルータの配下に属する前記移動端末を含む端末のアドレスと気付けアドレスとのアドレス対応表を作成する工程と、
その後、前記他のエッジルータを収容する前記エッジサーバが、前記移動端末宛のシグナリングメッセージを受信したとき、前記アドレス対応表を検索し、受信した前記シグナリングメッセージをカプセル化し、そのカプセルヘッダの宛先アドレスに気付けアドレスを付与して転送する工程と、
を含むことを特徴とする請求項２に記載の移動体ネットワークにおけるシグナリング転送方法。
【請求項７】
前記移動端末が、他のエッジルータの配下への移動を予測した場合に、前記他のエッジルータとの間に当該セッションで指定された無線区間のチャネルを含む第１セッションを設定する際に、前記他のエッジルータに対して自端末の端末識別子とアドレスとを通知し、前記他のエッジルータから前記他のエッジルータを収容するエッジサーバのアドレスと移動先で使用する気付けアドレスとを取得する工程と、
前記他のエッジルータが、自エッジルータを収容する前記エッジサーバに対し前記移動端末の端末識別子およびアドレスと前記移動端末に通知した気付けアドレスとを送信する工程と、
前記他のエッジルータを収容する前記エッジサーバが、前記他のエッジルータから受け取った前記移動端末の端末識別子に基づき近隣のエッジサーバに対して前記移動端末のセッション制御情報を問い合わせ、取得した前記移動端末のセッション制御情報を前記他のエッジルータに設定する工程と、
前記他のエッジルータが、前記移動端末の移動完了を検出したとき自エッジルータを収容する前記エッジサーバに移動完了通知を送信し、移動完了通知を受信した前記エッジサーバが、前記他のエッジルータから受け取った移動端末の端末識別子を含む登録要求メッセージを作成して前記コアサーバに対して送信するとともに、前記他のエッジルータの配下に属する前記移動端末を含む端末のアドレスと気付けアドレスとのアドレス対応表を作成する工程と、
その後、前記他のエッジルータを収容する前記エッジサーバが、前記移動端末宛のシグナリングメッセージを受信したとき、前記アドレス対応表を検索し、受信した前記シグナリングメッセージをカプセル化し、そのカプセルヘッダの宛先アドレスに気付けアドレスを付与して転送する工程と、
を含むことを特徴とする請求項２に記載の移動体ネットワークにおけるシグナリング転送方法。
【請求項８】
前記移動端末は、アクセスするエッジルータを収容するエッジサーバのアドレスを、前記エッジルータが周期的に広告する当該エッジルータを収容するエッジサーバのアドレスを含むメッセージを受信して取得する、または、前記エッジルータに対して当該エッジルータを収容するエッジサーバのアドレス送信を要請して取得することを特徴とする請求項１または２に記載の移動体ネットワークにおけるシグナリング転送方法。
【請求項９】
複数のエッジルータと、前記エッジルータにアクセスする移動端末を含む端末相互間のセッション制御処理を相互に連携して行うサーバであって、ネットワークの中央に配置される１以上のコアサーバおよびネットワークのエッジに配置される複数のエッジサーバと、前記端末にアドレスを割り当てるアドレスサーバとを備える移動体ネットワークにおいて、
前記移動端末は、
自端末の端末識別子を含む登録要求メッセージを送信する場合に、アクセスするエッジルータが周期的に広告する当該エッジルータを収容するエッジサーバのアドレスを含むメッセージを受信して、または、アクセスするエッジルータに対して当該エッジルータを収容するエッジサーバのアドレスを含むメッセージの送信を要請して、前記登録要求メッセージを送信するエッジサーバのアドレスを取得する手段、を備え、
前記エッジサーバは、
前記移動端末と他の端末との間で送受信されるセッション確立のためのメッセージを中継する過程で、収容するエッジルータに対しセッション制御情報を設定する手段と、
前記セッション確立が行われた後に前記移動端末が送信する登録要求メッセージを受信したとき、その受信した前記登録要求メッセージに含まれる前記移動端末の端末識別子に基づき近隣のエッジサーバに対して前記移動端末のセッション制御情報を問い合わせ、取得した前記移動端末のセッション制御情報を管理下のエッジルータに設定する手段と、
を備えることを特徴とする移動体ネットワーク。
【請求項１０】
複数のエッジルータと、前記エッジルータにアクセスする移動端末を含む端末相互間のセッション制御処理を相互に連携して行うサーバであって、ネットワークの中央に配置される１以上のコアサーバおよびネットワークのエッジに配置される複数のエッジサーバからなるサーバと、前記端末にアドレスを割り当てるアドレスサーバとを備える移動体ネットワークにおいて、
前記移動端末は、
通信開始に先立ち、アクセスするエッジルータとの間に当該セッションで指定された無線区間のチャネルを含む第１セッションを設定する手段と、
他の端末とのセッションを確立する場合に、アクセスするエッジルータが周期的に広告する当該エッジルータを収容するエッジサーバのアドレスを含むメッセージを受信して、または、アクセスするエッジルータに対して当該エッジルータを収容するするエッジサーバのアドレスを含むメッセージの送信を要請して、自端末の端末識別子を含む登録要求メッセージを送信するエッジサーバのアドレスを取得する手段と、を備え、
前記エッジルータは、
前記第１セッションの設定相手が移動してきた移動端末である場合に、当該移動端末から取得した端末識別子とアドレスとを含めた登録要求メッセージを作成し当該エッジルータを収容するエッジサーバに送信する手段、を備え、
前記エッジサーバは、
前記移動端末と他の端末との間で送受信されるセッション確立のためのメッセージを中継する過程で、管理下のエッジルータに対しセッション制御情報を設定する手段と、
管理下のエッジルータから受信した前記登録要求メッセージを前記コアサーバに対して中継送信するとともに、前記登録要求メッセージに含まれる前記移動端末の端末識別子に基づき近隣のエッジサーバに対して前記移動端末のセッション制御情報を問い合わせ、取得した前記移動端末のセッション制御情報を管理下の前記エッジルータに設定する手段
と、
を備えたことを特徴とする移動体ネットワーク。
【請求項１１】
前記移動端末は、
他のエッジルータへの移動を予測した場合に、現行のエッジルータを介して前記他のエッジルータに対し当該他のエッジルータを収容するエッジサーバのアドレスを問い合わせ、取得したアドレスのエッジサーバに対し自端末の端末識別子を含む仮登録メッセージを送信する手段と、
前記他のエッジルータの配下に移動し、前記他のエッジルータを収容するエッジサーバの管理下に入ったことを検出したとき、自端末の端末識別子を含む正式登録要求メッセージを前記他のエッジルータを収容するエッジサーバを介してコアサーバに送信する手段
と、を備え、
前記エッジサーバは、
前記仮登録メッセージを受信したとき、それに含まれる前記移動端末の端末識別子に基づき近隣のエッジサーバに前記移動端末のセッション制御情報を問い合わせ、取得した前記移動端末のセッション制御情報を管理下の前記他のエッジルータに設定する手段、
を備えることを特徴とする請求項９に記載の移動体ネットワーク。
【請求項１２】
前記移動端末は、
前記他のエッジルータの配下に移動した場合に、前記他のエッジルータから前記他のエッジルータを収容するエッジサーバのアドレスと移動先で使用する気付けアドレスとを取得し、取得したアドレスのエッジサーバに対して自端末の端末識別子と取得した気付けアドレスとを含む登録要求メッセージを送信する手段、を備え、
前記エッジサーバは、
受信した前記登録要求メッセージをそれに含まれる気付けアドレスを削除して前記コアサーバに転送するとともに、前記他のエッジルータの配下に属する前記移動端末を含む端末のアドレスと気付けアドレスとのアドレス対応表を作成する手段と、
前記移動端末宛のシグナリングメッセージを受信したとき、前記アドレス対応表を検索し、受信した前記シグナリングメッセージをカプセル化し、そのカプセルヘッダの宛先アドレスに気付けアドレスを付与して転送する手段と、
を備えることを特徴とする請求項９に記載の移動体ネットワーク。
【請求項１３】
前記移動端末は、
他のエッジルータへの移動を予測した場合に、現行のエッジルータを介して前記他のエッジルータに対し当該他のエッジルータを収容するエッジサーバのアドレスと移動先で使用する気付けアドレスとを問い合わせ、取得したアドレスの前記エッジサーバに対し自端末の端末識別子を含む仮登録メッセージを送信する手段と、
前記他のエッジルータの配下に移動し、前記他のエッジルータを収容する前記エッジサーバの管理下に入ったことを検出したとき、自端末の端末識別子と気付けアドレスを含む正式登録要求メッセージを前記他のエッジルータを収容するエッジサーバに送信する手段と、を備え、
前記エッジサーバは、
前記仮登録メッセージを受信したとき、それに含まれる前記移動端末の端末識別子に基づき近隣のエッジサーバに前記移動端末のセッション制御情報を問い合わせ、取得した前記移動端末のセッション制御情報を管理下の前記他のエッジルータに設定する手段と、
受信した前記正式登録要求メッセージをそれに含まれる気付けアドレスを削除して前記コアサーバに転送するとともに、管理下の前記他のエッジルータの配下に属する前記移動端末を含む端末のアドレスと気付けアドレスとのアドレス対応表を作成する手段と、
前記移動端末宛のシグナリングメッセージを受信したとき、前記アドレス対応表を検索し、受信した前記シグナリングメッセージをカプセル化し、そのカプセルヘッダの宛先アドレスに気付けアドレスを付与して転送する手段と、
を備えることを特徴とする請求項９に記載の移動体ネットワーク。
【請求項１４】
前記移動端末は、
他のエッジルータの配下に移動した場合に、前記他のエッジルータとの間に当該セッションで指定された無線区間のチャネルを含む第１セッションを設定する際に、前記他のエッジルータから当該エッジルータを収容するエッジサーバのアドレスと移動先で使用する気付けアドレスとを取得する手段、を備え、
前記エッジルータは、
前記第１セッションの設定相手が移動してきた移動端末である場合に、当該移動端末から取得した端末識別子およびアドレスと前記移動端末に通知した気付けアドレスとを含めた登録要求メッセージを作成し収容するエッジサーバに送信する手段、を備え、
前記エッジサーバは、
受信した前記登録要求メッセージをそれに含まれる気付けアドレスを削除して前記コアサーバに転送するとともに、前記エッジルータの配下に属する前記移動端末を含む端末のアドレスと気付けアドレスとのアドレス対応表を作成する手段と、
前記移動端末宛のシグナリングメッセージを受信したとき、前記アドレス対応表を検索し、受信した前記シグナリングメッセージをカプセル化し、そのカプセルヘッダの宛先アドレスに気付けアドレスを付与して転送する手段と、
を備えたことを特徴とする請求項１０に記載の移動体ネットワーク。
【請求項１５】
前記移動端末は、
他のエッジルータの配下への移動を予測した場合に、前記他のエッジルータとの間に当該セッションで指定された無線区間のチャネルを含む第１セッションを設定し、その際に、前記他のエッジルータから当該エッジルータを収容するエッジサーバのアドレスと移動先で使用する気付けアドレスとを取得する手段、を備え、
前記エッジルータは、
前記第１セッションの設定相手が移動を予定している移動端末である場合に、当該移動端末から取得した端末識別子およびアドレスと前記移動端末に通知した気付けアドレスとを自エッジルータを収容するエッジサーバに送信する手段と、
前記移動端末の移動完了を検出したとき自エッジルータを収容するエッジサーバに移動完了通知を送信する手段と、を備え、
前記エッジサーバは、
管理下のエッジルータから受け取った前記移動端末の端末識別子に基づき近隣のエッジサーバに対して前記移動端末のセッション制御情報を問い合わせ、取得した前記移動端末のセッション制御情報を管理下のエッジルータに設定する手段と、
管理下のエッジルータから前記移動完了通知を受信したとき、管理下の前記エッジルータから受け取った移動端末の端末識別子を含む登録要求メッセージを作成して前記コアサーバに対し送信するとともに、管理下の前記エッジルータの配下に属する前記移動端末を含む端末のアドレスと気付けアドレスとのアドレス対応表を作成する手段と、
前記移動端末宛のシグナリングメッセージを受信したとき、前記アドレス対応表を検索し、受信した前記シグナリングメッセージをカプセル化し、そのカプセルヘッダの宛先アドレスに気付けアドレスを付与して転送する手段と、
を備えたことを特徴とする請求項１０に記載の移動体ネットワーク。
【発明の詳細な説明】
【技術分野】
【０００１】
この発明は、移動体ネットワークにおけるシグナリング転送方法および移動体ネットワークに関するものである。
【背景技術】
【０００２】
次世代移動通信システムの仕様作成に携わる国際標準化機関３ＧＰＰ(Third Generation Partnership Project)では、現在、音声やビデオストリームといったリアルタイム系のマルチメディアサービスを提供するためのネットワーク機能ＩＭＳ（IP Multimedia Subsystem）の標準化が進められている(非特許文献１)。
【０００３】
また、インターネット技術特別調査委員会（ＩＥＴＦ：Internet Engineering Task Force）では、ＩＰネットワークを介して端末間でのリアルタイムストリーム伝送を実現するために、端末間のリアルタイムストリームに関する情報（セッション情報）を交換するための信号手順（制御プロトコル）であるセッション・イニシエーション・プロトコル（Session Initiation Protocol：以下「ＳＩＰ」という）を標準化している(非特許文献２)。
【０００４】
図１１は、３ＧＰＰのＩＭＳで規定されるＳＩＰサーバの基本構成を示したシステム図である。図１１において、端末１２１，１２２は、エッジルータ(Edge Router：ＥＲ)であるＧＧＳＮ(Gateway GPRS Support Node)１２３，１２４、図示していないＧＧＳＮ間に存在するルータを経由して通信を行う。
【０００５】
なお、ＧＰＲＳ（General Packet Radio Service）は、ＧＳＭ（Global System for Mobile Communication）方式の携帯端末ネットワーク上で使用されるデータ通信手順として開発され、第３世代の移動体通信システムにおいても適用されている。
【０００６】
端末１２１、１２２は、セッションの確立に先立ち、それぞれアドレスサーバ１２８−１、１２８−２から、その端末が使用するＩＰアドレスを取得する。端末１２１，１２２間のセッションＳ１の確立は、Ｐ−ＣＳＣＦ(Proxy Call Session Control Function)１２５，Ｓ−ＣＳＣＦ(Serving Call Session Control Function)１２６，Ｐ−ＣＳＣＦ１２７を介して行われる。
【０００７】
Ｓ−ＣＳＣＦ１２６は、ＩＰコアネットワークの中央に位置するＳＩＰサーバであり、各種のサービス（アクセス制御機能等）を提供する。Ｐ−ＣＳＣＦ１２５，１２７は、ＩＰコアネットワークのエッジに位置するＳＩＰサーバであり、Ｓ−ＣＳＣＦ１２６にＳＩＰメッセージを転送する。また、Ｐ−ＣＳＣＦ１２５，１２７は、Ｓ−ＣＳＣＦ１２６と連携してエッジルータであるＧＧＳＮ１２３，１２４に対してＱｏＳ(Quality of Service：通信品質保証）ポリシー制御を行う機構（ＰＣＦ：Policy Control Function)を持っている。
【０００８】
すなわち、端末１２１，１２２間のセッションＳ１を確立する場合には、ＳＩＰのセッション制御に関する端末１２１から端末１２２に向かうメッセージ（セッション制御情報）は、Ｐ−ＣＳＣＦ１２５→Ｓ−ＣＳＣＦ１２６→Ｐ−ＣＳＣＦ１２７のように転送される。また、ＳＩＰのセッション制御に関する端末１２２から端末１２１に向かうメッセージ（セッション制御情報）は、逆に、Ｐ−ＣＳＣＦ１２７→Ｓ−ＣＳＣＦ１２６→Ｐ−ＣＳＣＦ１２５のように転送される。その際に、Ｐ−ＣＳＣＦ１２５，１２７は、必要があれば、ＧＧＳＮ１２３，１２４に対してセッションＳ１に関するＱｏＳポリシー(ＱｏＳや経路付け等)を設定する。
【０００９】
なお、セッション制御情報には、セッションを識別するためのセッション識別子等も含まれ、さらにＳＩＰ手順によるセッションのストリームを転送するトランスポートプロトコルに関する情報、符号化方法などの情報が含まれている。ここで、セッション識別子は、ＳＩＰのＣａｌｌ  ＩＤと発呼端末上の発呼ユーザの組とで識別される。
【００１０】
但し、先に述べた３ＧＰＰ仕様では、Ｐ−ＣＳＣＦ１２５，１２７からエッジルータであるＧＧＳＮ１２３，１２４に対してＱｏＳポリシー制御を行う旨の規定はあるが、具体的な内容については、触れていない。そこで、ＱｏＳポリシー制御の内容として、ＳＩＰサーバがネットワークにおけるセッションのリソースを確保するためのＱｏＳポリシー情報は、この明細書では、Ｃｏｎｔｅｘｔと称し、次のように規定することとしている。すなわち、Ｃｏｎｔｅｘｔは、ストリームを転送するためのフィルタ条件と、転送するインタフェースと、このインタフェースでセッションのために確保されるリソース量とが含まれる。
【００１１】
図１２は、図１１に示したシステムにおいてＱｏＳポリシー情報（Ｃｏｎｔｅｘｔ）を設定するとした場合の帯域制御方法を説明するシステム図である。なお、図１２では、図１１に示したＧＧＳＮ１２３，１２４に代えてＥＲ１３１，１３２としている。
【００１２】
図１２において、端末１２１，１２２間のセッションＳ１を確立する場合に、Ｐ−ＣＳＣＦ１２５では、ＥＲ１３１からＥＲ１３２に向かうストリームのためのＣｏｎｔｅｘｔＣ１をＥＲ１３１に設定する。また、Ｐ−ＣＳＣＦ１２７では、ＥＲ１３２からＥＲ１３１に向かうストリームのためのＣｏｎｔｅｘｔＣ２をＥＲ１３２に設定する。その結果、ＥＲ１３１，１３２は、フィルタ条件にマッチしたストリーム（セッションのストリーム）を各々のインタフェース上で各々のリソースによって転送することになる。
【００１３】
【非特許文献１】ＴＳ２３．２２８Ｖ５．７．０
【非特許文献２】ＲＦＣ２５４３
【発明の開示】
【発明が解決しようとする課題】
【００１４】
ここで、図１３は、３ＧＰＰのＩＭＳを移動体ネットワークに適用した場合の帯域制御方法を説明するシステム図である。図１３では、移動端末である端末１２１が、ＥＲ１３１−１からＥＲ１３１−ｎに移動する場合が示されている。移動元のＥＲ１３１−１側には、Ｐ−ＣＳＣＦ１２５−１が存在し、移動先であるＥＲ１３１−ｎ側には、Ｐ−ＣＳＣＦ１２５−ｎが存在するとしている。また、移動先のＥＲ１３１−ｎには、アドレスサーバ１２８−ｎが接続されている。
【００１５】
３ＧＰＰやＩＥＴＦでは、ＳＩＰセッション設定中に、Ｐ−ＣＳＣＦとＥＲ（３ＧＰＰではＧＧＳＮ）が変更になるような端末の移動を考慮していない。つまり、端末１２１が、ＥＲ１３１−１からＥＲ１３１−ｎに移動した場合は、Ｐ−ＣＳＣＦ１２５−ｎは、セッション制御情報とＣｏｎｔｅｘｔとの対応関係を認識する機構を備えていないので、端末１２２から端末１２１に向かうセッション解放メッセージが受信できず、どのＣｏｎｔｅｘｔを解放すべきか判断できないことが生ずる。
【００１６】
また、端末１２１のアドレスはＥＲ１３１−１が属するサブネット内のアドレスサーバ１２８−１が割り当てるので、端末１２１がＥＲ１３１−ｎの配下に移動すると、端末１２１宛のシグナリングは、ＥＲ１３１−１に送信されるため、端末１２１が移動後に接続されているＥＲ１３１−ｎには届かず、結果として端末１２１はシグナリングを受信できない。
【００１７】
これを回避する方策としては、ＩＥＴＦで規格化されているモバイルＩＰ（Mobile  IP（ＲＦＣ３３４４））を用いる方法がある。図１４は、図１３に示すシステムにモバイルＩＰで記述されている位置管理機構を加えた図である。すなわち、図１４では、ホームエージェント（ＨＡ：Home  Agent）１２９−１〜１２９−ｎが追加されている。
【００１８】
図１４において、端末１２１は、ＥＲ１３１−１からＥＲ１３１−ｎに移動した際、ＥＲ１３１−ｎの配下において一時的に使用する気付けアドレスを取得し、ＨＡ１２９−１に対し取得した気付けアドレスと自端末１２１のアドレスとを含む位置登録メッセージを送信する。位置登録メッセージを受信したＨＡ１２９−１は、端末１２１のアドレスと気付けアドレスとの対応テーブルを作成する。
【００１９】
その後、Ｓ−ＣＳＣＦ１２６から端末１２１宛のシグナリングメッセージを受信したＰ−ＣＳＣＦ１２５−１は、端末１２１に向けてそのシグナリングメッセージを送信するが、ＨＡ１２９−１が端末１２１の代わりにそのシグナリングメッセージを受信する。そして、ＨＡ１２９−１は、受信したシグナリングメッセージにカプセルヘッダを付加し、そのカプセルヘッダの宛先アドレスに端末１２１のアドレスに対応する気付けアドレスを設定して端末１２１に向けて送信する。このカプセル化されたメッセージは、ＥＲ１３１−ｎが存在するサブネットのネットワークプレフィクスを持つので、移動先のＥＲ１３１−ｎに転送され、移動した端末１２１に届けられる。
【００２０】
しかしながら、このようなシグナリング転送方法では、シグナリングメッセージが冗長な経路を通るため、呼接続あるいは解放に要する遅延が増大する。加えて、図１４に示す例で言えば、Ｐ−ＣＳＣＦ１２５−１は、端末１２１が既にその管理対象としているＥＲ１３１−１の配下に存在しなくなっても、端末１２１のセッション制御情報を覚えておき、端末１２１にメッセージを転送する必要があるので、Ｐ−ＣＳＣＦ１２５−１の処理負荷が増えるという問題もある。
【００２１】
この発明は、上記に鑑みてなされたもので、端末が移動する場合も、移動先において、ＳＩＰセッションのセッション制御情報とＱｏＳポリシー情報（Ｃｏｎｔｅｘｔ）との対応関係が維持できるとともに、端末が動的にアドレスを取得する場合に、取得したアドレスのサブネットを越えて移動した場合でも、端末に冗長経路を通ることなくシグナリングが転送可能な移動体ネットワークにおけるシグナリング転送方法および移動体ネットワークを得ることを目的とする。
【課題を解決するための手段】
【００２２】
上記目的を達成するため、この発明にかかる移動体ネットワークにおけるシグナリング転送方法は、複数のエッジルータと、前記エッジルータにアクセスする移動端末を含む端末相互間のセッション制御処理を相互に連携して行うサーバであって、ネットワークの中央に配置される１以上のコアサーバおよびネットワークのエッジに配置される複数のエッジサーバと、前記端末にアドレスを割り当てるアドレスサーバとを備える移動体ネットワークにおいて、前記移動端末が、アクセスするエッジルータから当該エッジルータを収容するエッジサーバのアドレスを取得し、他の端末とのセッションを確立するために、取得したアドレスの前記エッジサーバを介して前記コアサーバに対して登録要求メッセージを送信する工程と、前記移動端末と他の端末との間で送受信されるセッション確立のためのメッセージを中継する過程で、前記移動端末側のエッジルータを収容するエッジサーバと前記他の端末側のエッジルータを収容するエッジサーバとが、それぞれ、対応するエッジルータに対してセッション制御情報を設定する工程と、前記移動端末が、他のエッジルータの配下に移動した場合に、前記他のエッジルータから当該他のエッジルータを収容するエッジサーバのアドレスを取得し、取得したアドレスの前記エッジサーバを介して前記コアサーバに対して登録要求メッセージを送信する工程と、前記他のエッジルータを収容するエッジサーバが、受信した前記登録要求メッセージに含まれる前記移動端末の端末識別子に基づき近隣のエッジサーバに対して前記移動端末のセッション制御情報を問い合わせ、取得した前記移動端末のセッション制御情報を前記他のエッジルータに設定する工程とを含むことを特徴とする。
【００２３】
この発明によれば、移動前の移動端末と他の端末との間で送受信されるセッション確立のためのメッセージをエッジサーバおよびコアサーバが中継転送する過程では、移動端末側のエッジルータを収容するエッジサーバと他の端末側のエッジルータを収容するエッジサーバとが、それぞれ、対応するエッジルータに対してセッション制御情報を設定し、
その後、移動端末が他のエッジルータの配下に移動した場合には、当該他のエッジルータを収容するエッジサーバが移動端末についてのセッション制御情報を取得して前記他のエッジルータに設定する。これによって、移動後の移動端末宛てのシグナリングは、移動端末の移動先である前記他のエッジルータを収容するエッジサーバから直接送ることができるようになる。
【発明の効果】
【００２４】
この発明によれば、移動端末が他のエッジルータの配下に移動した場合には、当該他のエッジルータを収容するエッジサーバが前記他のエッジルータに対して移動してきた移動端末のセッション制御情報を設定するので、移動先において、ＳＩＰセッションのセッション制御情報とＱｏＳポリシー情報（Ｃｏｎｔｅｘｔ）との対応関係が維持できるとともに、端末が動的にアドレスを取得する場合に、取得したアドレスのサブネットを越えて移動した場合でも、端末に冗長経路を通ることなくシグナリングが転送できる。
【発明を実施するための最良の形態】
【００２５】
以下に添付図面を参照して、この発明にかかるおよび移動体ネットワークの好適な実施の形態を詳細に説明する。
【００２６】
実施の形態１．
図１は、この発明の移動体ネットワークの構成を示すブロック図である。図１において、端末１は、移動端末であり、端末２は、移動端末または固定端末である。但し、この明細書では、説明の便宜から、端末２も移動端末であるとしている。端末１，２は、エッジルータ(Edge Router：以下「ＥＲ」と記す)３−１とＥＲ４を介して、または、端末１が移動していってＥＲ３−ｎとＥＲ４を介して通信を行うとしている。
【００２７】
そして、端末１と端末２との間のＳＩＰ手順によるセッションの確立・解放を司るＳＩＰサーバとして、ＩＰコアネットワークの中央に位置するＳＩＰサーバであるＳ−ＣＳＣＦ６と、ＩＰコアネットワークのエッジに位置するＳＩＰサーバであるＰ−ＣＳＣＦ５−１〜Ｐ−ＣＳＣＦ５−ｎとＰ−ＣＳＣＦ７とが示され、さらに端末にアドレスを割り当てるアドレスサーバ８−１〜８−ｎが示されている。
【００２８】
Ｐ−ＣＳＣＦ５−１〜Ｐ−ＣＳＣＦ５−ｎは、ＥＲ３−１〜ＥＲ３−ｎと１対１対応で存在している。Ｐ−ＣＳＣＦ７は、ＥＲ４に対応して存在している。また、アドレスサーバ８−１〜８−ｎは、ＥＲ３−１〜ＥＲ３−ｎ，ＥＲ４と１対１対応で存在している。なお、中央に位置するＳＩＰサーバ（Ｓ−ＣＳＣＦ）は、図１では、１つが示されているが、２以上が配置される場合もある。
【００２９】
図１において、この発明の移動体ネットワークでは、端末１と端末２間のセッションＳ１を確立する場合に、Ｐ−ＣＳＣＦ５−１では、ＥＲ３−１からＥＲ４に向かうストリームのためのＣｏｎｔｅｘｔＣ１−１をＥＲ３−１に設定する。また、Ｐ−ＣＳＣＦ７では、ＥＲ４からＥＲ３−１に向かうストリームのためのＣｏｎｔｅｘｔＣ２−１をＥＲ４に設定する。その際に、Ｐ−ＣＳＣＦ５−１は、セッション制御情報とＣｏｎｔｅｘｔＣ１−１との対応関係が保持でき、Ｐ−ＣＳＣＦ７は、セッション制御情報とＣｏｎｔｅｘｔＣ２−１との対応関係が保持できるようになっている。その結果、ＥＲ３−１，ＥＲ４は、フィルタ条件にマッチしたストリーム（セッションのストリーム)を各々のインタフェース上で各々のリソースによって転送することになる。
【００３０】
また、移動端末である端末１が、ＥＲ３−１からＥＲ３−ｎに移動する場合は、Ｐ−ＣＳＣＦ５−ｎでは、ＥＲ３−ｎからＥＲ４に向かうストリームのためのＣｏｎｔｅｘｔＣ１−ｎをＥＲ３−ｎに設定する。また、Ｐ−ＣＳＣＦ７では、ＥＲ４からＥＲ３−ｎに向かうストリームのためのＣｏｎｔｅｘｔＣ２−ｎをＥＲ４に設定する。その際に、Ｐ−ＣＳＣＦ５−ｎは、セッション制御情報とＣｏｎｔｅｘｔＣ１−ｎとの対応関係が保持でき、Ｐ−ＣＳＣＦ７は、セッション制御情報とＣｏｎｔｅｘｔＣ２−ｎとの対応関係が保持できるようになっている。その結果、ＥＲ３−ｎ，ＥＲ４は、フィルタ条件にマッチしたストリーム（セッションのストリーム)を各々のインタフェース上で各々のリソースによって転送することになる。
【００３１】
そして、この発明では、移動端末が動的にアドレスを取得する場合において、その取得したアドレスのサブネットを越えて移動する場合でも、その移動した移動端末に対するシグナリングの転送が、冗長経路を通ることなく、かつＰ−ＣＳＣＦの処理負荷を増大させることなく、行えるようになっている。これには、各種の態様があるので、それぞれを実施の形態１〜７として分けて説明する。
【００３２】
さて、図１〜図３を参照して、実施の形態１によるシグナリング転送方法を説明する。なお、図２は、図１に示す移動体ネットワークにおいて実施されるシグナリング方法を説明するメッセージシーケンス図である（その１）。図３は、図１に示す移動体ネットワークにおいて実施されるシグナリング方法を説明するメッセージシーケンス図である（その２）。
【００３３】
まず、端末１と端末２との間のセッション確立時の動作について説明する。図２において、各ＥＲは、対応するＰ−ＣＳＣＦのアドレスを含むメッセージを周期的に広告している。そこで、端末１と端末２は、電源投入後にネットワークに初めて接続する際、それぞれＥＲ３−１、ＥＲ４が送信するＰ−ＣＳＣＦ５−１、Ｐ−ＣＳＣＦ７のアドレスを格納したＰ−ＣＳＣＦアドレス広告を受信し、現在アクセス可能なＰ−ＣＳＣＦのアドレスを取得する（手順Ｔ１−１，Ｔ１−２）。なお、端末２が固定端末である場合は、手順Ｔ１−２は存在しない。
【００３４】
そして、図２では示していないが、端末１と端末２は、アドレスサーバ８−１,８−２から自端末のアドレスを取得する。アドレス取得方法は、ここでは特に指定しないが、例えばＩＥＴＦで規定されるＤＨＣＰプロトコル（Dynamic Host Configuration Protocol）を用いる方法などがある。
【００３５】
端末１と端末２は、アドレス取得後、それぞれＰ−ＣＳＣＦ５−１、Ｐ−ＣＳＣＦ７に対してＳＩＰプロトコルで規定された登録要求メッセージを送信する（手順Ｔ２−１，Ｔ２−２）。Ｐ−ＣＳＣＦ５−１、Ｐ−ＣＳＣＦ７は、登録要求メッセージをＳ−ＣＳＣＦ６に転送する。Ｓ−ＣＳＣＦ６は、端末１と端末２それぞれのアドレスとＰ−ＣＳＣＦ５−１、Ｐ−ＣＳＣＦ７のアドレスとの端末・サーバ対応表（以降、単に「対応表」と記す）を作成し（手順Ｔ３）、登録応答メッセージを送信する（手順Ｔ４）。Ｐ−ＣＳＣＦ５−１、Ｐ−ＣＳＣＦ７は、受信した登録応答メッセージを端末１と端末２とにそれぞれ転送する（手順Ｔ５−１，Ｔ５−２）。
【００３６】
その後、端末１は、自端末の端末識別子を含むセッション設定要求メッセージを送信する（手順Ｔ６）。端末識別子は、ネットワーク内で端末を一意に特定するために端末に予め設定されている識別子である。このセッション設定要求メッセージは、Ｐ−ＣＳＣＦ５−１, Ｓ−ＣＳＣＦ６、Ｐ−ＣＳＣＦ７を経由して端末２に転送される。
【００３７】
端末２は、端末１からセッション設定要求メッセージを受けて、Ｐ−ＣＳＣＦ７に対してセッション設定受付メッセージを送信する（手順Ｔ７）。Ｐ−ＣＳＣＦ７は、端末２から受信した設定受付メッセージから、セッション情報（宛先、送信元ＩＰアドレス、送受信ポート番号、帯域情報等）を取得し、Ｐ−ＣＳＣＦ７内に設定されているポリシー情報から経路を選択し（手順Ｔ８）、エッジルータＥＲ４に対してセッション制御情報設定指示を送信する（手順Ｔ９）。並行して、Ｐ−ＣＳＣＦ７は、端末２から受信した設定受付メッセージをＳ−ＣＳＣＦ６を経由してＰ−ＣＳＣＦ５−１に向けて送信する（手順Ｔ１０）。
【００３８】
Ｓ−ＣＳＣＦ６を経由しＰ−ＣＳＣＦ７から設定受付メッセージを受信したＰ−ＣＳＣＦ５−１は、エッジルータＥＲ３−１に対してセッション制御情報設定指示を送信する（手順Ｔ１１）。並行して、Ｐ−ＣＳＣＦ５−１は、端末１に対してセッション設定受付メッセージを送信する（手順Ｔ１２）。これによって、端末１と端末２との間のセッションが確立し、ＥＲ３−１とＥＲ４とを経由した相互間での通信が可能な状態となる。
【００３９】
次に、端末１がハンドオーバし、ＥＲ３−ｎの配下に移動した場合。ＥＲ３−ｎは、上記のようにＰ−ＣＳＣＦ５−ｎのアドレスを格納したＰ−ＣＳＣＦアドレス広告を周期的に送信している（手順Ｔ１４）。端末１は、そのＰ−ＣＳＣＦアドレス広告からＥＲ３−ｎを収容するＰ−ＣＳＣＦ５−ｎのアドレスを取得し、Ｐ−ＣＳＣＦ５−ｎに対して、登録要求メッセージを送信する（手順Ｔ１５）。Ｐ−ＣＳＣＦ５−ｎは、受信した登録要求メッセージをＳ−ＣＳＣＦ６に転送する。Ｓ−ＣＳＣＦ６は、端末１のアドレスとＰ−ＣＳＣＦとのアドレスの対応表を「端末１⇔ Ｐ−ＣＳＣＦ５−１」から「端末１⇔ Ｐ−ＣＳＣＦ５−ｎ」に更新し（手順Ｔ１６）、登録応答メッセージを送信する（手順Ｔ１７）。Ｐ−ＣＳＣＦ５−ｎは、受信した登録応答メッセージを端末１に転送する。これによって、Ｓ−ＣＳＣＦ６が発行する端末１宛のシグナリングメッセージは、Ｐ−ＣＳＣＦ５−ｎを経由して端末１に送られるようになる。
【００４０】
一方、Ｐ−ＣＳＣＦ５−ｎは、端末１から登録要求（手順Ｔ１５）を受信すると、それに含まれる端末１の端末識別子を検索キーとして、周辺のＰ−ＣＳＣＦに対して端末１のセッション制御情報を問い合わせる（手順Ｔ１８）。今の例では、端末１のセッション制御情報を保持しているＰ−ＣＳＣＦ５−１がＰ−ＣＳＣＦ５−ｎに対して端末１のセッション制御情報を含む応答メッセージを送信する（手順Ｔ１９）。これによって、Ｐ−ＣＳＣＦ５−１は、端末１のセッション制御情報を保持する必要がなくなる。Ｐ−ＣＳＣＦ５−ｎは、取得した端末１のセッション制御情報を基にＰ−ＣＳＣＦ７内に設定されているポリシー情報から経路を選択し（手順Ｔ２０）、ＥＲ３−ｎに対してセッション制御情報設定指示を送信する（手順Ｔ２１）。その結果、端末１は、ＥＲ３−ｎとＥＲ４とを介して端末２と通信できるようになる。
【００４１】
このように、実施の形態１によれば、端末１が移動した場合でも、移動先において、ＳＩＰセッションのセッション制御情報とＱｏＳポリシー情報（Ｃｏｎｔｅｘｔ）との対応関係を維持することができる。そして、移動後においても冗長経路を経ることなく移動した端末に対してシグナリングを転送することが可能になるので、シグナリングの転送遅延を抑えることができる。
【００４２】
なお、端末が対応するＰ−ＣＳＣＦのアドレスを取得する方法として、図２では、ＥＲが周期的に送信するＰ−ＣＳＣＦアドレス広告を受信する場合を示したが、端末が対応するＥＲに対してＰ−ＣＳＣＦアドレス広告を要請するＰ−ＣＳＣＦアドレス要求メッセージを送信し、それに対する応答として受信したＰ−ＣＳＣＦアドレス広告から、現在アクセス可能なＰ−ＣＳＣＦアドレスを取得する方法も可能である。
【００４３】
すなわち、図３に示すように、ネットワークに初めて接続する端末１と端末２がＥＲ３−１、ＥＲ４に対してＰ−ＣＳＣＦアドレス要求メッセージを送信し（手順Ｔ２５−１，Ｔ２５−２）、それに対する応答としてＰ−ＣＳＣＦアドレス広告を受信する（手順Ｔ２６−１，Ｔ２６−２）。また、端末１が移動した先のＥＲ３−ｎに対してＰ−ＣＳＣＦアドレス要求メッセージを送信し（手順Ｔ２７）、それに対する応答としてＰ−ＣＳＣＦアドレス広告を受信する（手順Ｔ２８）。
【００４４】
この方法によれば、端末は、対応するＰ−ＣＳＣＦのアドレスを格納したＰ−ＣＳＣＦアドレス広告の受信を待つ必要がないので、より迅速にセッションの確立手順に移行することができる。
【００４５】
実施の形態２．
図４は、この発明の実施の形態２である移動体ネットワークにおけるシグナリング転送方法を説明するメッセージシーケンス図である。この実施の形態２では、実施の形態１にて説明した手順でセッションが確立した後に、端末１の移動に伴い、現行のＥＲ３−１との接続無線回線の品質が劣化し、あるいは他のＥＲ３−ｎとの接続無線回線の品質が現行のＥＲ３−１との接続無線回線の品質を上回るなどして、他のＥＲ（図示例ではＥＲ３−ｎ）への移動が必要となった場合のシグナリング転送方法が示されている。
【００４６】
図４において、端末１は、ＥＲ３−ｎへの移動が必要であると予測すると、現在接続されているＥＲ３−１を介して移動先候補であるＥＲ３−ｎに対して、移動先でのＰ−ＣＳＣＦアドレスを問い合わせる移動先Ｐ−ＣＳＣＦアドレス要求メッセージを送信する（手順Ｔ３０）。受信したＥＲ３−ｎは、Ｐ−ＣＳＣＦ５−ｎのアドレスを含む移動先Ｐ−ＣＳＣＦアドレス応答メッセージを端末１に送信する（手順Ｔ３１）。端末１は、送信した移動先Ｐ−ＣＳＣＦアドレス要求に対する応答からＰ−ＣＳＣＦ５−ｎのアドレスを取得すると、Ｐ−ＣＳＣＦ５−ｎに対して、自端末の端末識別子、アドレスを含む仮登録要求メッセージを送信する（手順Ｔ３２）。Ｐ−ＣＳＣＦ５−ｎは、仮登録応答メッセージを端末１に送信する（手順Ｔ３３）。
【００４７】
そして、Ｐ−ＣＳＣＦ５−ｎは、並行して、受信した仮登録要求から取得した端末１の端末識別子を検索キーとして周辺のＰ−ＣＳＣＦに対してセッション制御情報の問い合わせを行う（手順Ｔ３４）。今の例では、端末１のセッション制御情報を保持するＰ−ＣＳＣＦ５−１が応答メッセージをＰ−ＣＳＣＦ５−ｎに対して送信する（手順Ｔ３５）。これによって、Ｐ−ＣＳＣＦ５−１は、端末１のセッション制御情報を保持する必要がなくなる。Ｐ−ＣＳＣＦ５−ｎは、取得したセッション制御情報を基にＰ−ＣＳＣＦ７内に設定されているポリシー情報から経路を選択し（手順Ｔ３６）、ＥＲ３−ｎに対してセッション制御情報設定指示を送信する（手順Ｔ３７）。
【００４８】
次に、端末１は、ハンドオーバーしてＥＲ３−ｎの配下に移動し、ＥＲ３−ｎからアドレス広告を受信し（手順Ｔ３８）、それに含まれるＰ−ＣＳＣＦ５−ｎのアドレスを取得し、Ｐ−ＣＳＣＦ５−ｎに対して、登録要求メッセージを送信する（手順Ｔ３９）。Ｐ−ＣＳＣＦ５−ｎは、受信した登録要求メッセージをＳ−ＣＳＣＦ６に転送する。
【００４９】
Ｓ−ＣＳＣＦ６は、端末１のアドレスとＰ−ＣＳＣＦのアドレスとの対応表を「端末１⇔ Ｐ−ＣＳＣＦ５−１」から「端末１⇔ Ｐ−ＣＳＣＦ５−ｎ」に更新し（手順Ｔ４０）、端末１向けに登録応答メッセージを送信する（手順Ｔ４１）。Ｐ−ＣＳＣＦ５−ｎは、登録応答メッセージを端末１に転送する。これによって、Ｓ−ＣＳＣＦ６が発行する端末１宛のシグナリングメッセージは、Ｐ−ＣＳＣＦ５−ｎを経由して端末１に送られることになる。
【００５０】
このように、実施の形態２によれば、端末が移動先を予測する場合、端末の移動に先立ち、予め移動先において、ＳＩＰセッションのセッション制御情報とＱｏＳポリシー情報（Ｃｏｎｔｅｘｔ）との対応関係を移動先のＥＲに設定することができるので、移動後直ちに移動前と同じ通信品質を保証することができる。そして、移動後においても冗長経路を経ることなく移動した端末に対してシグナリングを転送することが可能になるので、シグナリングの転送遅延を抑えることができる。
【００５１】
実施の形態３．
図５は、この発明の実施の形態３である移動体ネットワークにおけるシグナリング転送方法を説明するメッセージシーケンス図である。この実施の形態３では、端末が使用するアドレスとして、実施の形態１，２にて説明したＰ−ＣＳＣＦアドレスの他に、端末のアドレスとは別に移動先のネットワークにおいて端末の位置を特定し、該当端末へのパケットルーティングのために使用する気付けアドレスも用いる場合のシグナリング転送方法が示されている。
【００５２】
まず、端末１と端末２との間のセッション確立時の動作について説明する。図５において、各ＥＲは、対応するＰ−ＣＳＣＦのアドレスと端末が使用可能な気付けアドレスとを含むメッセージを周期的に広告している。そこで、端末１と端末２は、電源投入後にネットワークに初めて接続する際、それぞれＥＲ３−１、ＥＲ４が送信するＰ−ＣＳＣＦ５−１、Ｐ−ＣＳＣＦ７のアドレス、および端末が使用可能な気付けアドレスを格納したＰ−ＣＳＣＦアドレス・気付けアドレス広告を受信し、現在アクセス可能なＰ−ＣＳＣＦアドレス、および使用可能な気付けアドレスを取得する（手順Ｔ４５−１，Ｔ４５−２）。
【００５３】
なお、気付けアドレスは、ＩＰｖ６の場合は、ネットワークプレフィックスと読み替える。また、ＩＰｖ４の場合、気付けアドレス広告には、気付けアドレスとして使用可能なアドレスリストが含まれる。
【００５４】
次に、端末１と端末２は、ＩＰｖ４端末である場合には、選択した気付けアドレスを通知するために気付けアドレス選択通知をＥＲ３−１、ＥＲ４に送信する。また、端末１と端末２は、ＩＰｖ６端末である場合には、ネットワークプレフィックスと端末自端末のＭＡＣアドレスからアドレスを自動生成するので、アドレスの重複チェックを行うため、ＩＥＴＦのＲＦＣ２４６３で規定されたNeighbor SolicitationをＥＲ３−１、ＥＲ４に送信する（手順Ｔ４６−１，Ｔ４６−２）。
【００５５】
ここで、ＥＲ３−１、ＥＲ４に接続された他の端末が該当アドレスを使用している場合には、Neighbor  Advertisementが他の端末から返送されるので、アドレスが重複していることが検出できる。アドレスの重複が検出された場合は、図５では示していないが、端末１と端末２は、アドレスサーバ８−１，８−２からアドレスを取得するようになっている。
【００５６】
端末１と端末２は、アドレス取得後、それぞれＰ−ＣＳＣＦ５−１、Ｐ−ＣＳＣＦ７に対して登録要求メッセージを送信する（手順Ｔ４７−１，Ｔ４７−２）。登録要求には、端末識別子、端末のアドレス、気付けアドレスおよび電話番号が含まれている。
【００５７】
Ｐ−ＣＳＣＦ５−１、Ｐ−ＣＳＣＦ７は、端末１、端末２からの登録要求から気付けアドレスを取り除き、Ｓ−ＣＳＣＦ６に転送する（手順Ｔ４８−１，Ｔ４８−２）。そして、Ｓ−ＣＳＣＦ６は、端末１と端末２それぞれのアドレスとＰ−ＣＳＣＦ５−１、Ｐ−ＣＳＣＦ７のアドレスとの対応表を作成する（手順Ｔ４９）。その後に行われる登録応答、セッション設定の動作は、実施の形態１（図２）に示した手順と同じであるので、説明を省略する。
【００５８】
次に、端末１がハンドオーバし、ＥＲ３−ｎの配下に移動した場合。端末１は、ＥＲ３−ｎが送信するＰ−ＣＳＣＦアドレス・気付けアドレス広告を受信し、現在アクセス可能なＰ−ＣＳＣＦアドレス、および使用可能な気付けアドレスを取得する（手順Ｔ５０）。
【００５９】
そして、端末１は、ＩＰｖ４端末である場合には選択した気付けアドレスを通知するために気付けアドレス選択通知をＥＲ３−ｎに送信する。また、端末１は、ＩＰｖ６端末である場合にはネットワークプレフィックスと端末自端末のＭＡＣアドレスとからアドレスを自動生成するので、アドレスの重複チェックを行うため、ＩＥＴＦのＲＦＣ２４６３で規定されたNeighbor SolicitationをＥＲ３−ｎに送信する（手順Ｔ５１）。
【００６０】
ここで、ＥＲ３−ｎに接続された他の端末が該当アドレスを使用している場合には、Neighbor  Advertisementが他の端末から返送されるので、アドレスが重複していることが検出できる。アドレスの重複が検出されなかった場合、端末１は、Ｐ−ＣＳＣＦ５−ｎに対して自端末の端末識別子と気付けアドレスとを含む登録要求メッセージを送信する（手順Ｔ５２）。
【００６１】
Ｐ−ＣＳＣＦ５−ｎは、受信した登録要求に含まれる端末１の端末識別子と気付けアドレスとを取り出し、端末１のアドレスと気付けアドレスとのアドレス対応表を作成する（手順Ｔ５３）。このように、Ｐ−ＣＳＣＦ５−ｎは、ＥＲ３−ｎの配下に属する端末から登録要求メッセージを受信して端末のアドレスと気付けアドレスとのアドレス対応表を作成することを行っている。
【００６２】
並行して、Ｐ−ＣＳＣＦ５−ｎは、受信した登録要求から気付けアドレスを削除してＳ−ＣＳＣＦ６に転送する。Ｓ−ＣＳＣＦ６は、端末１のアドレスとＰ−ＣＳＣＦのアドレスとの対応表を「端末１⇔ Ｐ−ＣＳＣＦ５−１」から「端末１⇔ Ｐ−ＣＳＣＦ５−ｎ」に更新し（手順Ｔ５４）、端末１向けに登録応答メッセージを送信する（手順Ｔ５５）。Ｐ−ＣＳＣＦ５−ｎは、登録応答メッセージを端末１に転送する。
【００６３】
また、Ｐ−ＣＳＣＦ５−ｎは、実施の形態１にて説明したように、近隣のＰ−ＣＳＣＦにセッション制御情報の問い合わせを行い（手順Ｔ１８）、ＥＲ３−ｎに対して端末１についてのセッション制御情報設定指示を送信する（手順Ｔ２１）。
【００６４】
その後、Ｐ−ＣＳＣＦ５−ｎは、Ｓ−ＣＳＣＦ６から端末１宛のシグナリングメッセージを受信すると、手順Ｔ５３にて作成したアドレス対応表を検索し、その受信したシグナリングメッセージをカプセル化し、そのカプセルヘッダの宛先アドレスに端末１の気付けアドレスを設定し、端末１に転送することになる（手順Ｔ５６）。
【００６５】
このように、実施の形態３によれば、端末が移動した場合でも、移動先において、ＳＩＰセッションのセッション制御情報とＱｏＳポリシー情報（Ｃｏｎｔｅｘｔ）との対応関係を維持することができる。そして、移動後においても冗長経路を経ることなく移動した端末に対してシグナリングを転送することが可能になるので、シグナリングの転送遅延を抑えることができる。
【００６６】
実施の形態４．
図６は、この発明の実施の形態４である移動体ネットワークにおけるシグナリング転送方法を説明するメッセージシーケンス図である。この実施の形態４では、実施の形態３にて説明した手順でセッションを確立した後に、端末１の移動に伴い、現行のＥＲ３−１との接続無線回線の品質が劣化し、あるいは他のＥＲ３−ｎとの接続無線回線の品質が現行のＥＲ３−１との接続無線回線の品質を上回るなどして、他のＥＲ（図示例ではＥＲ３−ｎ）への移動が必要となった場合のシグナリング転送方法が示されている。
【００６７】
図６において、端末１は、接続先ＥＲの変更が必要と予測した場合、現在接続されているＥＲ３−１を介して移動先候補であるＥＲ３−ｎに対して、移動先でのＰ−ＣＳＣＦアドレス、および気付けアドレスを問い合わせる移動先Ｐ−ＣＳＣＦアドレス要求メッセージを送信する（手順Ｔ６０）。受信したＥＲ３−ｎは、Ｐ−ＣＳＣＦ５−ｎのアドレス、および気付けアドレス情報を含む移動先Ｐ−ＣＳＣＦアドレス応答メッセージを端末１に送信する（手順Ｔ６１）。なお、気付けアドレス情報は、ＩＰｖ４端末に対しては気付けアドレスのリストを含み、ＩＰｖ６端末に対してはネットワークプレフィックスを含んでいる。
【００６８】
端末１は、取得したアドレスを用いてＰ−ＣＳＣＦ５−ｎに対して、自端末の端末識別子、アドレス、気付けアドレスを含む仮登録要求メッセージを送信する（手順Ｔ６２）。Ｐ−ＣＳＣＦ５−ｎは、仮登録応答メッセージを端末１に送信する（手順Ｔ６３）。Ｐ−ＣＳＣＦ５−ｎは、並行して、端末１の端末識別子を検索キーとして周辺のＰ−ＣＳＣＦに対してセッション制御情報の問い合わせを行う（手順Ｔ６４）。今の例では、端末１のセッション制御情報を保持するＰ−ＣＳＣＦ５−１が応答メッセージをＰ−ＣＳＣＦ５−ｎに対して送信する（手順Ｔ６５）。
【００６９】
Ｐ−ＣＳＣＦ５−ｎは、取得したセッション制御情報を基にＰ−ＣＳＣＦ７内に設定されているポリシー情報から経路を選択し（手順Ｔ６６）、ＥＲ３−ｎに対してセッション制御情報設定指示を送信する。このとき、Ｐ−ＣＳＣＦ５−ｎは、端末１のアドレスと気付けアドレスとのアドレス対応表を作成し、一時的に保持しておく（手順Ｔ６７）。
【００７０】
次に、端末１が実際にＥＲ３−ｎの配下に移動した場合。端末１は、ＥＲ３−ｎが送信するＰ−ＣＳＣＦ・気付けアドレス広告を受信し（手順Ｔ６８）、アドレスを取得したＰ−ＣＳＣＦ５−ｎに対して、自端末１の端末識別子および気付けアドレスを含む正式の登録要求メッセージを送信する（手順Ｔ６９）。
【００７１】
Ｐ−ＣＳＣＦ５−ｎは、受信した登録要求に含まれる端末１の端末識別子と気付けアドレスとを取り出し、端末１のアドレスと気付けアドレスとのアドレス対応表を作成する（手順Ｔ７０）。このように、Ｐ−ＣＳＣＦ５−ｎは、ＥＲ３−ｎの配下に属する端末から登録要求メッセージを受信して端末のアドレスと気付けアドレスとのアドレス対応表を作成することを行っている。ここで、手順Ｔ６７にて一時保持した端末１のアドレス対応表を有効化する。
【００７２】
並行して、Ｐ−ＣＳＣＦ５−ｎは、受信した登録要求から気付けアドレスを削除してＳ−ＣＳＣＦ６に転送する。Ｓ−ＣＳＣＦ６は、端末１のアドレスとＰ−ＣＳＣＦのアドレスとの対応表を「端末１⇔ Ｐ−ＣＳＣＦ５−１」から「端末１⇔ Ｐ−ＣＳＣＦ５−ｎ」に更新し（手順Ｔ７１）、端末１向けに登録応答メッセージを送信する（手順Ｔ７２）。Ｐ−ＣＳＣＦ５−ｎは、登録応答メッセージを端末１に転送する。
【００７３】
その後、Ｐ−ＣＳＣＦ５−ｎは、Ｓ−ＣＳＣＦ６から端末１宛のシグナリングメッセージを受信すると、手順Ｔ７０にて作成したアドレス対応表を検索し、その受信したシグナリングメッセージをカプセル化し、そのカプセルヘッダの宛先アドレスに端末１の気付けアドレスを設定し、端末１に転送することになる（手順Ｔ７３）。
【００７４】
このように、実施の形態４によれば、端末の移動先が事前にわかる場合には、端末の移動に先立ち、予め移動先において、ＳＩＰセッションのセッション制御情報とＱｏＳポリシー情報（Ｃｏｎｔｅｘｔ）との対応関係を移動先のＥＲに設定することができるので、移動後直ちに移動前と同じ通信品質を保証することができる。そして、移動後においても冗長経路を経ることなく移動した端末に対してシグナリングを転送することが可能になるので、シグナリングの転送遅延を抑えることができる。
【００７５】
実施の形態５．
図７および図８は、この発明の実施の形態５である移動体ネットワークにおけるシグナリング転送方法を説明するメッセージシーケンス図である（その１，その２）。この実施の形態５では、図１において、端末１が、端末２との通信に先立ち、ＥＲ３−１との間に第１セッション（そのセッションで指定された無線区間のチャネル、およびＥＲ３−１の装置内の論理チャネルの組）を設定し、そのセッションの中を端末２とのエンド・エンド間の第２セッションが設定される場合のシグナリング転送方法が示されている。
【００７６】
図７において、端末１がＥＲ３−１に対して第１セッションを設定する要求メッセージを送信し（手順Ｔ７５）、ＥＲ３−１が応答メッセージを返す（手順Ｔ７６）ことで、ＥＲ３−１との間に第１セッションが設定される。端末１は、このように設定した第１セッション上で、ＥＲ３−１が送信するＰ−ＣＳＣＦアドレス広告を受信し、それに含まれるＰ−ＣＳＣＦ５−１のアドレスを取得する（手順Ｔ７７）。
【００７７】
そして、端末１は、アドレスサーバ８−１からアドレスを取得し、Ｐ−ＣＳＣＦ５−１に対して登録要求メッセージを送信する（手順Ｔ７８）。Ｐ−ＣＳＣＦ５−１は、受信した登録要求メッセージをＳ−ＣＳＣＦ６に転送する。Ｓ−ＣＳＣＦ６は、端末１のアドレスとＰ−ＣＳＣＦ５−１のアドレスとの対応表を作成し（手順Ｔ７８）、登録応答メッセージを送信する（手順Ｔ８０）。Ｐ−ＣＳＣＦ５−１は、受信した登録応答メッセージを端末１に転送する。
【００７８】
端末１は、端末２との間に第２セッションを設定する場合、セッション設定要求メッセージに自端末の端末識別子を含めてＰ−ＣＳＣＦ５−１に送信する（手順Ｔ８１）。セッション設定要求メッセージは、Ｐ−ＣＳＣＦ５−１, Ｓ−ＣＳＣＦ６を経由してＰ−ＣＳＣＦ７に転送される。Ｐ−ＣＳＣＦ７は、受信したセッション設定要求メッセージを端末２に転送する（手順Ｔ８２）。
【００７９】
端末２は、端末１からのセッション設定要求メッセージを受けてＥＲ４との間で第１セッションを設定し（手順Ｔ８３，Ｔ８４）、その後、セッション設定受付けメッセージをＰ−ＣＳＣＦ７に送信する（手順Ｔ８５）。なお、端末２がＥＲ４と第１セッションを設定する際に交換する情報は、端末１がＥＲ３−１との間に第１セッションを設定する際の情報と同一である。
【００８０】
Ｐ−ＣＳＣＦ７は、受け取ったセッション設定受付けメッセージの内容からセッション情報を取得し、Ｐ−ＣＳＣＦ７内に設定されているポリシー情報から経路を選択し（手順Ｔ８６）、ＥＲ４に対してセッション制御情報設定指示を送信する（手順Ｔ８７）。
【００８１】
並行して、Ｐ−ＣＳＣＦ７は、受け取ったセッション設定受付けメッセージをＳ−ＣＳＣＦ６に送信する。セッション設定受付けメッセージは、Ｓ−ＣＳＣＦ６、Ｐ−ＣＳＣＦ５−１を介して端末１に転送される（手順Ｔ８８）。また、Ｓ−ＣＳＣＦ６を経由しＰ−ＣＳＣＦ７から設定受付メッセージを受信したＰ−ＣＳＣＦ５−１は、ＥＲ３−１に対してセッション制御情報設定指示を送信する（手順Ｔ８９）。
【００８２】
次いで、端末１は、ハンドオーバし、ＥＲ３−ｎの配下に移動した場合、ＥＲ３−ｎとの間に第１セッションを設定する（手順Ｔ９０，Ｔ９１）。この場合、端末１は、ＥＲ３−ｎに対し、自端末１の端末識別子とアドレスとを通知するようになっている。その後、端末１は、第１のセッション上で、ＥＲ３−ｎが送信するＰ−ＣＳＣＦのアドレスを格納したＰ−ＣＳＣＦアドレス広告を受信すると（手順Ｔ９２）、それに含まれるＰ−ＣＳＣＦ５−ｎのアドレスを取得し、後にＳＩＰセッションを解放するときに用いるので保持する。
【００８３】
ＥＲ３−ｎは、端末１が配下に属したので、Ｐ−ＣＳＣＦ５−ｎに対して端末１の端末識別子とアドレスとを送信する（手順Ｔ９３）。Ｐ−ＣＳＣＦ５−ｎは、ＥＲ３−ｎから端末１の端末識別子とアドレスとを受け取ると、端末１に代わって、登録要求メッセージを作成しＳ−ＣＳＣＦ６に対して送信する（手順Ｔ９４）。Ｓ−ＣＳＣＦ６は、端末１のアドレスとＰ−ＣＳＣＦのアドレスの対応表を「端末１⇔ Ｐ−ＣＳＣＦ５−１」から「端末１⇔ Ｐ−ＣＳＣＦ５−ｎ」に更新し、登録応答メッセージを送信する（手順Ｔ９５）。Ｐ−ＣＳＣＦ５−ｎは、受信した登録応答メッセージを端末１に転送する。
【００８４】
また、Ｐ−ＣＳＣＦ５−ｎは、ＥＲ３−ｎから受信した登録要求に含まれる端末１の端末識別子を検索キーとして、周辺のＰ−ＣＳＣＦに対してセッション制御情報を問い合わせる（手順Ｔ９６）。今の例では、端末１のセッション制御情報を保持しているＰ−ＣＳＣＦ５−１がＰ−ＣＳＣＦ５−ｎに対してセッション制御情報を含む応答メッセージを送信する（手順Ｔ９７）。Ｐ−ＣＳＣＦ５−ｎは、取得した端末１のセッション制御情報を基にＰ−ＣＳＣＦ５−ｎ内に設定されているポリシー情報から経路を選択し（手順Ｔ９８）、ＥＲ３−ｎに対してセッション制御情報設定指示を送信する（手順Ｔ９８）。これによって、Ｓ−ＣＳＣＦ６が発行する端末１宛のシグナリングメッセージは、Ｐ−ＣＳＣＦ５−ｎを経由して端末１に送られるようになる。
【００８５】
このように、実施の形態５によれば、端末が移動した場合でも、ＳＩＰセッションのセッション制御情報とＱｏＳポリシー情報（Ｃｏｎｔｅｘｔ）との対応関係を保持することができる。そして、移動後においても冗長経路を経ることなく移動した端末に対してシグナリングを転送することが可能になるので、シグナリングの転送遅延を抑えることができる。
【００８６】
なお、端末が対応するＰ−ＣＳＣＦのアドレスを取得する方法として、図７では、ＥＲが周期的に送信するＰ−ＣＳＣＦアドレス広告を受信する場合を示したが、第１セッションの設定時に取得できるようにしてもよい。すなわち、図８に示すように、ＥＲ３−１は返送する第１セッション設定応答にＰ−ＣＳＣＦのアドレスを含める（手順Ｔ１０２）。同様に、ＥＲ３−ｎは返送する第１セッション設定応答にＰ−ＣＳＣＦのアドレスを含める（手順Ｔ１０３）。この方法によれば、端末１は、対応するＰ−ＣＳＣＦのアドレスを格納したＰ−ＣＳＣＦアドレス広告の受信を待つ必要がないので、より迅速に第２セッションの確立手順に移行することができる。
【００８７】
実施の形態６．
図９は、この発明の実施の形態６である移動体ネットワークにおけるシグナリング転送方法を説明するメッセージシーケンス図である。この実施の形態６では、実施の形態５にて説明した、端末１がＥＲ３−１との間に第１セッションを設定するために送信する第１セッション設定要求メッセージに、端末１の端末識別子、アドレス（割当てられている場合）を含めて送信する場合のシグナリング転送方法が示されている。
【００８８】
図９において、端末１は、ＥＲ３−１との間に第１セッションを設定するために、自端末１の端末識別子、アドレス（割当てられている場合）を含む第１セッション設定要求メッセージを送信する（手順Ｔ１１０）。ＥＲ３−１は、第１セッション設定応答に、Ｐ−ＣＳＣＦ５−１のアドレス、および気付けアドレス、またアドレスが未割り当ての場合には、アドレスを含めて端末１に送信する（手順Ｔ１１１）。
【００８９】
次に、ＥＲ３−１は、Ｐ−ＣＳＣＦ５−１に端末１の端末識別子、アドレス、および気付けアドレスを含む登録設定要求メッセージを送信する（手順Ｔ１１２）。Ｐ−ＣＳＣＦ５−１は、受信した登録要求メッセージをＳ−ＣＳＣＦ６に対して送信するとともに、端末１のアドレスと気付けアドレスとのアドレス対応表を作成する（手順Ｔ１１３）。Ｓ−ＣＳＣＦ６は、端末１のアドレスとＰ−ＣＳＣＦ５−１のアドレスとの対応表を作成した後、ＥＲ３−１に向けて登録応答メッセージを送信する（手順Ｔ１１４）。
【００９０】
Ｐ−ＣＳＣＦ５−１は、受信した登録応答メッセージをＥＲ３−１に転送する（手順Ｔ１１５）。一方、端末２は、Ｐ−ＣＳＣＦ７に対して、自端末２の端末アドレス、気付けアドレスおよび電話番号を含む登録要求メッセージを送信する（手順Ｔ１１６）。
【００９１】
端末１は、端末２との間の第２セッションを設定する場合、セッション設定要求メッセージに自端末１の端末識別子を含めてＰ−ＣＳＣＦ５−１に送信する（手順Ｔ１１７）。セッション設定要求メッセージは、Ｐ−ＣＳＣＦ５−１, Ｓ−ＣＳＣＦ６、Ｐ−ＣＳＣＦ７を経由して端末２に転送される。端末２は、ＥＲ４との間で第１セッションを設定する（手順Ｔ１１８，Ｔ１１９）。
【００９２】
ＥＲ４は、Ｐ−ＣＳＣＦ７に対して端末２の端末識別子、アドレス、および気付けアドレスを含む登録設定要求メッセージを送信する（手順Ｔ１２０）。Ｐ−ＣＳＣＦ７は、受信した登録要求メッセージをＳ−ＣＳＣＦ６に対して送信するとともに、端末２のアドレスと気付けアドレスとのアドレス対応表を作成する（手順Ｔ１２１）。Ｓ−ＣＳＣＦ６は、端末２のアドレスとＰ−ＣＳＣＦ７のアドレスとの対応表を作成した後、登録応答メッセージを送信する（手順Ｔ１２２）。Ｐ−ＣＳＣＦ７は、受信した登録応答メッセージをＥＲ４に転送する。
【００９３】
端末２は、第１セッションを設定した後、セッション設定受付けメッセージをＰ−ＣＳＣＦ７に送信する（手順Ｔ１２３）。なお、端末２がＥＲ４と第１セッションを設定する際に交換する情報は、端末１がＥＲ３−１との間に第１セッションを設定する際の情報と同一である。
【００９４】
Ｐ−ＣＳＣＦ７は、受信したセッション設定受付けメッセージの内容からセッション情報を取得し、Ｐ−ＣＳＣＦ７内に設定されているポリシー情報から経路を選択し（手順Ｔ１２４）、ＥＲ４に対してセッション制御情報設定指示を送信する（手順Ｔ１２５）。
【００９５】
また、Ｐ−ＣＳＣＦ７は、受信した設定受付メッセージをＳ−ＣＳＣＦ６を経由しＰ−ＣＳＣＦ５−１に送信する（手順Ｔ１２６）。セッション設定受付メッセージを受信したＰ−ＣＳＣＦ５−１は、ＥＲ３−１に対してセッション制御情報設定指示を送信する（手順Ｔ１２７）。Ｐ−ＣＳＣＦ５−１は、並行して、端末１に対してセッション設定受付メッセージを送信する（手順Ｔ１２８）。
【００９６】
次に、端末１は、ハンドオーバし、ＥＲ３−ｎの配下に移動した場合、ＥＲ３−ｎとの間に第１セッションを設定する。すなわち、端末１は、ＥＲ３−ｎに対して自端末１の端末識別子、アドレスを含めた第１セッション設定要求メッセージを送信する（手順Ｔ１３０）。ＥＲ３−ｎは、第１セッション設定応答に、Ｐ−ＣＳＣＦ５−ｎのアドレス、および気付けアドレスを含めて送信する（手順Ｔ１３１）。
【００９７】
その後、ＥＲ３−ｎは、Ｐ−ＣＳＣＦ５−ｎに対して、端末１の端末識別子、アドレス、気付けアドレスを含む登録設定要求メッセージを送信する（手順Ｔ１３２）。Ｐ−ＣＳＣＦ５−ｎは、端末１のアドレスと気付けアドレスのアドレス対応表を作成するとともに、気付けアドレスを削除した登録設定要求メッセージをＳ−ＣＳＣＦ６に対して送信する（手順Ｔ１３３）。Ｓ−ＣＳＣＦ６は、端末１のアドレスとＰ−ＣＳＣＦのアドレスの対応表を「端末１⇔ Ｐ−ＣＳＣＦ５−１」から「端末１⇔ Ｐ−ＣＳＣＦ５−ｎ」に更新した後、登録応答メッセージを送信する（手順Ｔ１３４）。Ｐ−ＣＳＣＦ５−ｎは、受信した登録応答メッセージをＥＲ３−ｎに転送する（手順Ｔ１３５）。
【００９８】
次に、Ｐ−ＣＳＣＦ５−ｎは、端末１の端末識別子を検索キーとして周辺のＰ−ＣＳＣＦに対してセッション制御情報を問い合わせる（手順Ｔ１３６）。今の例では、端末１のセッション制御情報を保持しているＰ−ＣＳＣＦ５−１がＰ−ＣＳＣＦ５−ｎに対しセッション制御情報を含む応答メッセージを送信する（手順Ｔ１３７）。Ｐ−ＣＳＣＦ５−ｎは、取得したセッション制御情報を基にＰ−ＣＳＣＦ５−ｎ内に設定されているポリシー情報から経路を選択し、ＥＲ３−ｎに対してセッション制御情報設定指示を送信する（手順Ｔ１３８）。
【００９９】
その後、Ｐ−ＣＳＣＦ５−ｎは、Ｓ−ＣＳＣＦ６から端末１宛のシグナリングメッセージを受信すると、手順Ｔ１３３にて作成したアドレス対応表を検索し、その受信したシグナリングメッセージをカプセル化し、そのカプセルヘッダの宛先アドレスに端末１の気付けアドレスを設定し、端末１に転送することになる（手順Ｔ１３９）。
【０１００】
このように、実施の形態６によれば、端末が移動した場合でも、移動先において、ＳＩＰセッションのセッション制御情報とＱｏＳポリシー情報（Ｃｏｎｔｅｘｔ）の対応関係を維持することができる。そして、移動後においても冗長経路を経ることなく移動した端末に対してシグナリングを転送することが可能になるので、シグナリングの転送遅延を抑えることができる。
【０１０１】
実施の形態７．
図１０は、この発明の実施の形態７である移動体ネットワークにおけるシグナリング転送方法を説明するメッセージシーケンス図である。この実施の形態７では、実施の形態５，６にて説明した手順でセッションを確立した後に、端末１の移動に伴い、現行のＥＲ３−１との接続無線回線の品質が劣化し、あるいは他のＥＲ３−ｎとの接続無線回線の品質が現行のＥＲ３−１との接続無線回線の品質を上回るなどして、他のＥＲ（図示例ではＥＲ３−ｎ）への移動が必要となった場合のシグナリング転送方法が示されている。
【０１０２】
図１０において、端末１は、接続するＥＲの変更先をＥＲ３−ｎと予測した場合、ＥＲ３−１に端末１の端末識別子、アドレスを含めた第１セッション設定要求メッセージを送信する（手順Ｔ１４０）。なお、端末１の代わりにＥＲ３−１がＥＲ３−ｎへの接続先変更を予測する場合もあり、その場合はＥＲ３−１に手順Ｔ１４０相当の情報が転送される。ＥＲ３−１は、第１セッション設定応答に、Ｐ−ＣＳＣＦ５−ｎのアドレス、および気付けアドレスを含めて端末１に送信する（手順Ｔ１４１）。
【０１０３】
次に、ＥＲ３−１は、Ｐ−ＣＳＣＦ５−ｎに端末１の端末識別子、アドレス、および気付けアドレスを含む仮登録設定要求メッセージを送信する（手順Ｔ１４２）。Ｐ−ＣＳＣＦ５−ｎは、端末１のアドレスと気付けアドレスとのアドレス対応表を作成するとともに、Ｓ−ＣＳＣＦ６に対して登録要求メッセージを送信する（手順Ｔ１４３）。Ｓ−ＣＳＣＦ６は、端末１のアドレスとＰ−ＣＳＣＦ５−ｎのアドレスとの対応を仮登録した後、応答メッセージを返す（手順Ｔ１４４）。Ｐ−ＣＳＣＦ５−ｎは、Ｓ−ＣＳＣＦ６から登録応答メッセージを受けて）、ＥＲ３−１に対して仮登録設定応答メッセージを送信する（手順Ｔ１４５）。
【０１０４】
次に、Ｐ−ＣＳＣＦ５−ｎは、端末１の端末識別子を検索キーとして周辺のＰ−ＣＳＣＦに対してセッション制御情報を問い合わせる（手順Ｔ１４６）。今の例では、端末１のセッション制御情報を保持しているＰ−ＣＳＣＦ５−１がＰ−ＣＳＣＦ５−ｎにセッション制御情報を含む応答メッセージを送信する（手順Ｔ１４７）。Ｐ−ＣＳＣＦ５−ｎは、取得したセッション制御情報を基にＰ−ＣＳＣＦ５−ｎ内に設定されているポリシー情報から経路を選択し、ＥＲ３−ｎに対してセッション制御情報設定指示を送信する（手順Ｔ１４８）。
【０１０５】
その後、端末１がＥＲ３−ｎの配下に実際に移動した場合、ＥＲ３−ｎは、無線のチャネル設定状態から移動完了を検出すると、端末１の端末識別子を含む移動完了通知をＰ−ＣＳＣＦ５−ｎに送信する（手順Ｔ１４９）。Ｐ−ＣＳＣＦ５−ｎは、端末１のアドレスを含む登録要求メッセージをＳ−ＣＳＣＦ６に送信するととも、先に作成した端末１のアドレスと気付けアドレスとのアドレス対応表を有効にする（手順Ｔ１５０）。Ｓ−ＣＳＣＦ６は、先に仮登録した端末１のアドレスとＰ−ＣＳＣＦ５−ｎのアドレスとの対応を有効化し、応答メッセージを返す（手順Ｔ１５１）。
【０１０６】
その後、Ｐ−ＣＳＣＦ５−ｎは、Ｓ−ＣＳＣＦ６から端末１宛のシグナリングメッセージを受信すると、手順Ｔ１５０にて作成したアドレス対応表を検索し、その受信したシグナリングメッセージをカプセル化し、そのカプセルヘッダの宛先アドレスに端末１の気付けアドレスを設定し、端末１に転送することになる（手順Ｔ１５２）。
【０１０７】
このように、実施の形態７によれば、端末の移動先が事前にわかる場合には、端末の移動に先立ち、予め移動先において、ＳＩＰセッションのセッション制御情報とＱｏＳポリシー情報（Ｃｏｎｔｅｘｔ）との対応関係を移動先のＥＲに設定することができるので、移動後直ちに移動前と同じ通信品質を保証することができる。そして、移動後においても、冗長経路を経ることなく移動した端末に対してシグナリングを転送することが可能になるので、シグナリングの転送遅延を抑えることができる。
【産業上の利用可能性】
【０１０８】
この発明は、端末が移動する場合も、移動先において、ＳＩＰセッションのセッション制御情報とＱｏＳポリシー情報（Ｃｏｎｔｅｘｔ）との対応関係が維持できるとともに、端末が動的にアドレスを取得する場合に、取得したアドレスのサブネットを越えて移動した場合でも、端末に冗長経路を通ることなくシグナリングが転送できるので、複数のエッジルータと、前記エッジルータにアクセスする移動端末を含む端末相互間のセッション制御処理を相互に連携して行うサーバであって、ネットワークの中央に配置される１以上のコアサーバおよびネットワークのエッジに配置される複数のエッジサーバと、前記端末にアドレスを割り当てるアドレスサーバとを備える移動体ネットワークにおけるシグナリングの転送に好適である。
【図面の簡単な説明】
【０１０９】
【図１】この発明の移動体ネットワークの構成を示すブロック図である。
【図２】この発明の実施の形態１である移動体ネットワークにおけるシグナリング方法を説明するメッセージシーケンス図である（その１）。
【図３】この発明の実施の形態１である移動体ネットワークシグナリング方法を説明するメッセージシーケンス図である（その２）。
【図４】この発明の実施の形態２である移動体ネットワークにおけるシグナリング転送方法を説明するメッセージシーケンス図である。
【図５】この発明の実施の形態３である移動体ネットワークにおけるシグナリング転送方法を説明するメッセージシーケンス図である。
【図６】この発明の実施の形態４である移動体ネットワークにおけるシグナリング転送方法を説明するメッセージシーケンス図である。
【図７】この発明の実施の形態５である移動体ネットワークにおけるシグナリング転送方法を説明するメッセージシーケンス図である（その１）。
【図８】この発明の実施の形態５である移動体ネットワークにおけるシグナリング転送方法を説明するメッセージシーケンス図である（その２）。
【図９】この発明の実施の形態６である移動体ネットワークにおけるシグナリング転送方法を説明するメッセージシーケンス図である。
【図１０】この発明の実施の形態７である移動体ネットワークにおけるシグナリング転送方法を説明するメッセージシーケンス図である。
【図１１】３ＧＰＰのＩＭＳにおけるＳＩＰサーバの基本構成を説明するシステム図である。
【図１２】図１１に示すシステムにおいてＱｏＳポリシー情報（Ｃｏｎｔｅｘｔ）を設定するとした場合の帯域制御方法を説明するシステム図である。
【図１３】３ＧＰＰのＩＭＳを移動体ネットワークに適用した場合の帯域制御方法を説明するシステム図である。
【図１４】図１３に示す移動体ネットワークにＭｏｂｉｌｅ  ＩＰで記述されている位置管理機構を加えて実現されるシグナリング転送方法を説明する図である。
【符号の説明】
【０１１０】
１  端末（移動端末）
２  端末（移動端末または固定端末）
３−１〜３−ｎ
４  ＥＲ（ＥＲ）
５−１〜５−ｎ
７  Ｐ−ＣＳＣＦ（エッジに位置するＳＩＰサーバ：エッジサーバ）
６  Ｓ−ＣＳＣＦ（中央に位置するＳＩＰサーバ：コアサーバ）
８−１〜８−ｎ  アドレスサーバ
Ｃ１−１，Ｃ２−１，Ｃ１−ｎ，Ｃ２−ｎ  ＱｏＳポリシー情報（Ｃｏｎｔｅｘｔ）
Ｓ１  セッション
【図１】
2005064646.tif 000003
【図２】
2005064646.tif 000004
【図３】
2005064646.tif 000005
【図４】
2005064646.tif 000006
【図５】
2005064646.tif 000007
【図６】
2005064646.tif 000008
【図７】
2005064646.tif 000009
【図８】
2005064646.tif 000010
【図９】
2005064646.tif 000011
【図１０】
2005064646.tif 000012
【図１１】
2005064646.tif 000013
【図１２】
2005064646.tif 000014
【図１３】
2005064646.tif 000015
【図１４】
2005064646.tif 000016